(57)【要約】【課題】  螺子で相互に締結された締結構造において、その機械的強度の向上を図る。【解決手段】  互いが螺子で締結される締結構造において、螺子と、上記螺子が貫通する貫通孔と、該貫通孔から離間して、上記螺子の螺合軸と平行に、且つ螺合方向とは反対方向に突出して形成された凸部とを有する第１の部材と、上記第１の部材と締結されるため、上記貫通孔を貫通した上記螺子と螺合する螺合部を有する第２の部材と、上記螺子と嵌合するための貫通孔と該貫通孔から離間し、該貫通孔と平行に設けられ上記凸部と嵌合する嵌合孔とを有し、上記第１の部材と重ねられ、上記螺子の頭と上記第１の部材との間に挟まれる第３の部材と、を具備する。【選択図】図５
2018132087.tif 000002
【特許請求の範囲】
【請求項１】
互いが螺子で締結される締結構造において、
螺子と、
上記螺子が貫通する貫通孔と、該貫通孔から離間して、上記螺子の螺合軸と平行に、且つ螺合方向とは反対方向に突出して形成された凸部とを有する第１の部材と、
上記第１の部材と締結されるため、上記貫通孔を貫通した上記螺子と螺合する螺合部を有する第２の部材と、
上記螺子と嵌合するための貫通孔と該貫通孔から離間し、該貫通孔と平行に設けられ上記凸部と嵌合する嵌合孔とを有し、上記第１の部材と重ねられ、上記螺子の頭と上記第１の部材との間に挟まれる第３の部材と、
を具備したことを特徴とした締結構造。
【請求項２】
互いが螺子で締結される締結構造において、
螺子と、
上記螺子が貫通する貫通孔と、該貫通孔から離間して、上記螺子の螺合軸と平行に設けられた該貫通孔とは別の貫通孔とを有する第１の部材と、
上記第１の部材と締結されるため、上記貫通孔を通過した上記螺子と螺合する螺合部を有する第２の部材と、
上記螺子と嵌合するための貫通孔と該貫通孔から離間し、且つ上記螺子の螺合軸と平行に螺合方向に突出して形成され、上記第１の部材の上記別の貫通孔に嵌合する凸部とを有し、上記第１の部材と重ねられ、上記螺子の頭と上記第１の部材との間に挟まれる第３の部材と、
を具備したことを特徴とした締結構造。
【発明の詳細な説明】
【技術分野】
【０００１】
本発明は、機械的構造の補強構造に関する。詳しくは携帯機器の耐荷重強度を向上させる機械構造に関する。
【背景技術】
【０００２】
近年、光学機器としてのカメラにおいても更なる小型化が要請され、それにつれて更なる機械的強度の向上も要求されている。
【０００３】
本願発明の前に構成された従来例としてのカメラの構造について図１、図２、図６、図７を用いて説明する。図２に示すように撮像装置としてのカメラはカメラ本体２上部にストロボ装置１等を載置可能にシュー２ｄが設置されている。尚、図２はカメラをその背面から見た斜視図である。
【０００４】
しかし、このストロボ装置１が図１に示すように大きな装置ではその重量が大きいため、カメラにストラップ紐が装着され、ストラップ紐が撮影者の首に掛けられ、カメラだけを落下させるとストロボ装置１の落下重量、即ち、慣性力量が図１に示す矢印Ｆのごとくカメラ本体２に掛かり、その結果、シュー２ｄ周りに大きな曲げモーメントを生じさせてしまい、カメラ本体２の一部に損傷を与えてしまうことがある。
【０００５】
例えば、図６の分解斜視図に示すように、カメラ本体２はその内部に本体組を有し、その上にシュー支持台２ｅが上カバー２ａと伴に取り付けられている。さらに本体組の背面には背面カバー２ｂが配置され、背面カバー２ｂの上部には止め板部２ｂｂが形成されている。そして、これら構成をもって、シュー支持台２ｅが上カバー２ａと伴に本体組に載せられ、背面カバー２ｂが本体組の背面に配置されると止めネジ３が止め板部２ｂｂに設けられた貫通孔を通してシュー支持台２ｅに設けられた下穴２ｆにねじ込まれる。更にシュー支持台２ｅの上にシュー外周カバー２ｃが載置され、さらにシュー２ｄがシュー支持台２ｅにビス５で固定される。
【０００６】
この構成をもって上記のような荷重、つまり負荷である慣性力量Ｆが掛かると、図７（ａ）で示す状態から、シュー支持台２ｅと背面カバー２ｂに螺合された止めネジ３がシュー支持台と伴に上方に無理やり持ち上げられる。もちろんこのとき、上カバー２ａやシュー外周カバー２ｃも持ち上げられてしまう。そして背面カバー２ｂの止め板部２ｂｂの貫通孔が上方向に歪み、最後には図７（ｂ）に示すような状態の断裂、破損をしてしまう。
【０００７】
これを防止するため、例えば、一つの策として、特許文献１の開示技術を用いることも考えられる。特許文献１は、鋼材同士を連結するのにスライスプレートを補強のために追加し、多数のボルトを用いている。
【先行技術文献】
【特許文献】
【０００８】
【特許文献１】特開２０１２−５７４５０号公報
【発明の概要】
【発明が解決しようとする課題】
【０００９】
特許文献１の特開２０１２−５７４５０号公報の技術を用いるとスライスプレート、ボルト等の部材が必要とされ、コストが嵩んだり、余計なスペースを必要とする。特に小型の機器などでは多くのボルトなどの余計な部品は用いるスペースなど無く、なかなか採用をし難い。
【００１０】
本発明は上記問題点に鑑みてなされたものであり、簡単な構造で強度向上を図れる構造を提供することを目的とする。
【課題を解決するための手段】
【００１１】
上記課題を解決するため、本発明の互いが螺子で締結される締結構造は、螺子と、上記螺子が貫通する貫通孔と、該貫通孔から離間して、上記螺子の螺合軸と平行に、且つ螺合方向とは反対方向に突出して形成された凸部とを有する第１の部材と、上記第１の部材と締結されるため、上記貫通孔を貫通した上記螺子と螺合する螺合部を有する第２の部材と、  上記螺子と嵌合するための貫通孔と該貫通孔から離間し、該貫通孔と平行に設けられ上記凸部と嵌合する嵌合孔とを有し、上記第１の部材と重ねられ、上記螺子の頭と上記第１の部材との間に挟まれる第３の部材と、を具備する。
【発明の効果】
【００１２】
本発明によれば、不必要にスペースを採らずに、必要な強度を有した締結構造を提供できる。
【図面の簡単な説明】
【００１３】
【図１】本発明と従来例を説明するため、ストロボ装置１を搭載した撮像機器であるカメラの背面からの見た外観斜視図である。
【図２】本発明と従来例を説明するため、撮像機器であるカメラの背面外観斜視図である。
【図３】本発明の実施形態を示すカメラの分解背面斜視図である。
【図４】本発明の締結構造の一部を示す部分拡大図である。
【図５】本発明の締結部の断面図を示し、図３における線分で示す断面図でありＡＡ，ＢＢの矢視方向から眺めた断面を示す図である。
【図６】従来のカメラの締結構造を示すカメラの分解背面斜視図である。
【図７】従来の締結構造を示す部分拡大図であり、図７（ａ）は締結構造の破損前を示す図であり、図７（ｂ）は締結構造の破損後を示す図である。
【発明を実施するための形態】
【００１４】
以下、本発明の実施形態について図１乃至図５を用いて説明する。
図１は本発明を説明するため、ストロボ装置１を搭載した撮像機器であるカメラの背面からの見た外観斜視図である。図２は本発明を説明するため、撮像機器であるカメラの背面外観斜視図である。図３は本発明の実施形態を示すカメラの分解背面斜視図である。図４は本発明の締結構造の一部を示す部分拡大図である。図５は本発明の締結部の断面図を示し、図３における線分で示す断面図でありＡＡ，ＢＢの矢視方向から眺めた断面を示す図である（両断面は同じ断面となるので一つの断面で示す）。
【００１５】
図１は上記従来例で説明したカメラと同じ外観を示し、カメラ本体２にストロボ装置１が取り付けられ、後方からの外観斜視図であり本発明を採用したカメラと外観上なんらの変わりことを示す図である。図２も同様に本発明を採用したもので上記従来例で説明したカメラと外観上、なんら変わりの無いことを示す図である。図３は本発明の実施形態を示すカメラの分解背面斜視図である。図４は本発明の締結構造の一部を示す部分拡大図である。図５は本発明の締結部の断面図を示す図である。
【００１６】
上述のように図３において、カメラ本体２の本体組２ｉ、上カバー２ａ、シュー２ｄ、シュー支持台２ｅ、シュー外周カバー２ｃは従来例の説明と変わるところはなく、背面カバー２ｂの止め板部２ｂｂに本発明が反映されている。更に、一対の止め板部２ｂｂそれぞれには図５の断面図に示すように、止めネジ３のための貫通孔である止めネジ用孔２ｇの下方に補強凸部２ｈが外観側にプレスの半切段の状態で形成されている（図４参照）。尚、背面カバー２ｂは本実施形態ではアルミニュウム材から形成されている。
【００１７】
そして背面カバー２ｂの止め板部２ｂｂそれぞれの外観側にはさらに、小さな補強部材（補強板）４が追加されている。これら補強部材４それぞれにはネジ３が貫通するための貫通孔４ａとその下方に上記補強凸部２ｈが嵌合する嵌合孔４ｂが設けられている。
【００１８】
図３の分解斜視図に示すように、カメラ本体２はその内部に本体組２ｉを有し、その上にシュー支持台２ｅが上カバー２ａと伴に取り付けられている。さらに本体組２ｉの背面には背面カバー２ｂが配置され、背面カバー２ｂの上部には止め板部２ｂｂが形成されている。さらに補強部材４が背面カバー２ｂの外観側に配置されている。
【００１９】
これらを組立てる際には、シュー支持台２ｅが上カバー２ａと伴に本体組２ｉに載せられ、背面カバー２ｂが本体組２ｉの背面に配置され、さらに補強部材４が背面カバー２ｂの外観側から背面カバー２ｂの止め板部２ｂｂに重ねられる。このとき止めネジ３が貫通する止め板部２ｂｂの貫通孔２ｇと補強部材４の貫通孔４ａが重畳され、背面カバー２ｂの補強凸部２ｈが補強部材４の嵌合孔４ｂに嵌合される。次に止めネジ３が補強部材４の貫通孔４ａを貫通し、更に止め板部２ｂｂに設けられた貫通孔２ｇを貫通してシュー支持台２ｅに設けられた下穴２ｆにねじ込まれる。更にシュー支持台２ｅの上にシュー外周カバー２ｃが載置され、さらにシュー２ｄがシュー支持台２ｅにビス５で固定される。このときシュー外周カバー２ｃはシュー支持台２ｅとシュー２ｄとで挟まれ固定される。
【００２０】
このように組立てられた本発明のカメラ本体２は、図５に示すように、ストロボ装置１でシュー２ｄに過大な荷重、負荷によって生じた引張力Ｐを与えられても、ネジ３だけでなくその引張力の一部を補強凸部２ｈで受けることになり止め板部２ｂｂは破損を免れ機械的強度が向上することになる。
【００２１】
尚、本実施形態において補強凸部２ｈ（凸部）を背面カバー２ｂの止め板部２ｂｂに設け、これに嵌合する嵌合孔を補強部材４に設けたが、これに限らず、逆に補強凸部２ｈを補強部材４に設け、これに嵌合する嵌合孔を背面カバー２ｂの止め板部２ｂｂに設けてもよい。
【００２２】
尚、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００２３】
本発明は、撮像機能に特化した撮像装置のみに限られることはなく、撮像機能を備えたその他の形態の電子機器、例えばデジタルカメラ，ムービーカメラ，携帯電話，スマートフォン，電子手帳，電子辞書，携帯情報端末，パーソナルコンピュータ，タブレット型端末機器，ゲーム機器，テレビジョン受像器，時計，ＧＰＳ（Global Positioning System）を利用したナビゲーション機器等、各種の撮像機能付き電子機器のレンズ鏡筒に対して広く適用することができる。
【００２４】
さらに、光学レンズによる光学像を受けて撮像素子を用いて画像を取得して、その取得画像を表示装置を用いて表示する機能を有する電子機器、例えば望遠鏡，双眼鏡，単眼鏡，顕微鏡等の観察用機器におけるレンズ鏡筒対しても同様に適用することができる。
【００２５】
また、内視鏡，顕微鏡のような産業用若しくは医療用の観察機器等のほか、監視カメラや車載用カメラ等の撮像装置におけるレンズ鏡筒に対しても、本発明は全く同様に適用することができる。
【００２６】
これらに加えてさらに、例えば透過型液晶表示装置等を用いて画像を拡大投影する投影型画像表示装置等におけるレンズ鏡筒に対しても同様に、本発明を適用することは、容易にできる。
【符号の説明】
【００２７】
１・・・ストロボ装置
２・・・カメラ本体
２ａ・・・上カバー
２ｂ・・・背面カバー
２ｂｂ・・・止め板部
２ｃ・・・シュー外周カバー
２ｄ・・・シュー
２ｅ・・・シュー支持台
２ｆ・・・ネジ下孔
２ｇ・・・止めネジ用孔
２ｈ・・・補強凸部（凸部）
２ｉ・・・本体組
３・・・止めネジ
４・・・補強部材
４ａ・・・貫通孔
４ｂ・・・嵌合孔
５・・・ビス
【図１】
2018132087.tif 000003
【図２】
2018132087.tif 000004
【図３】
2018132087.tif 000005
【図４】
2018132087.tif 000006
【図５】
2018132087.tif 000007
【図６】
2018132087.tif 000008
【図７】
2018132087.tif 000009